(57)【要約】【課題】撮像装置本体と閃光発光部との間が防滴シールされた防滴仕様の撮像装置を提供する。【解決手段】デジタルカメラ（撮像装置）は、カメラ本体（撮像装置本体）と、カメラ本体に収納される収納状態と、カメラ本体から突出する突出状態とを有する閃光発光部と、パッキン（弾性変形部材）と、を備える。デジタルカメラは、収納状態においてパッキンが閃光発光部とカメラ本体との間で加圧変形させられることでカメラ本体と閃光発光部との間が防滴シールされる防滴仕様である。【選択図】図１０
2018045221.tif 000002
【特許請求の範囲】
【請求項１】
撮像装置本体と、
前記撮像装置本体に収納される収納状態と、前記撮像装置本体から突出する突出状態とを有する閃光発光部と、
弾性変形部材と、を備え、
前記収納状態において前記弾性変形部材が前記閃光発光部と前記撮像装置本体との間で加圧変形させられることで前記撮像装置本体と前記閃光発光部との間が防滴シールされる防滴仕様である、撮像装置。
【請求項２】
前記弾性変形部材は前記閃光発光部に取り付けられている、請求項１記載の撮像装置。
【請求項３】
前記弾性変形部材は、前記閃光発光部を構成する複数の部品で挟み込まれることで前記閃光発光部に取り付けられている、請求項２記載の撮像装置。
【請求項４】
前記撮像装置本体の外部から前記閃光発光部の内部への経路および前記外部から前記撮像装置本体の内部への経路の両方が防滴シールされる、請求項３記載の撮像装置。
【請求項５】
前記弾性変形部材は、全周にわたり前記複数の部品で挟み込まれている、請求項４に記載の撮像装置。
【請求項６】
前記弾性変形部材は、前記収納状態において、全周にわたり前記撮像装置本体と密着している、請求項４に記載の撮像装置。
【請求項７】
前記弾性変形部材は前記撮像装置本体に取り付けられている、請求項１記載の撮像装置。
【請求項８】
前記弾性変形部材は、前記閃光発光部を前記撮像装置本体から分離分解することなく取り外し可能な取り付け部材と前記撮像装置本体とで挟み込まれることで前記撮像装置本体に取り付けられている、請求項７記載の撮像装置。
【請求項９】
前記閃光発光部が前記突出状態のとき、前記取り付け部材の少なくとも一部は露呈する、請求項８に記載の撮像装置。
【発明の詳細な説明】
【技術分野】
【０００１】
本開示は、撮像装置本体と閃光発光部との間が防滴シールされる防滴仕様の撮像装置に関する。
【背景技術】
【０００２】
特許文献１は、カメラのポップアップ式フラッシュ機構を備えた一眼レフカメラを開示する。この一眼レフカメラのスナップ機構はスナップバネと揺動レバーの単純機構であり、閃光発光部に組み込まれている。カメラ本体と閃光発光部を結合するものは閃光発光部とカメラ本体を回動可能に軸止したヒンジ軸のみである。これにより、漏光の原因となる穴を省略でき、ヒンジ軸の嵌合精度のみの管理で、防塵、防滴の効果を得ることができる。
【先行技術文献】
【特許文献】
【０００３】
【特許文献１】特開２００６−３０８８１８号公報
【発明の概要】
【発明が解決しようとする課題】
【０００４】
本開示は、撮像装置本体と閃光発光部との間をより効率よく防滴シールすることを目的とする。
【課題を解決するための手段】
【０００５】
本開示にかかる撮像装置は、撮像装置本体と、前記撮像装置本体に収納される収納状態と、前記撮像装置本体から突出する突出状態とを有する閃光発光部と、弾性変形部材と、を備える。
【０００６】
前記撮像装置は、前記収納状態において前記弾性変形部材が前記閃光発光部と前記撮像装置本体との間で加圧変形させられることで前記撮像装置本体と前記閃光発光部との間が防滴シールされる防滴仕様である。
【発明の効果】
【０００７】
本開示にかかる撮像装置は、撮像装置本体と閃光発光部との間を防滴シールするのに有効である。
【図面の簡単な説明】
【０００８】
【図１】図１は、実施の形態１にかかるデジタルカメラの閃光発光部が収納された状態でのカメラの外観斜視図である。
【図２】図２は、実施の形態１にかかるデジタルカメラの閃光発光部が発光可能な位置に突出した状態でのカメラの外観斜視図である。
【図３】図３は、閃光発光部のポップアップ動作の機構を説明する断面図である。
【図４】図４は、閃光発光部の収納動作の機構を説明する断面図である。
【図５】図５は、ポップアップ動作のためのリンクとその動力源であるバネを含む構造を示す分解斜視図である。
【図６】図６は、閃光発光部の保持および係止解除を行う係止レバーの構造を示す分解斜視図である。
【図７】図７は、閃光発光部の突出状態での閃光発光部とその周辺のカメラ本体の形状を示す外観斜視図である。
【図８】図８は、閃光発光部の分解斜視図である。
【図９】図９は、図１０の断面位置を示すデジタルカメラの上面図である。
【図１０】図１０は、リブとの接触によるパッキンの変形を示す断面図である。
【図１１】図１１は、外部から閃光発光部の内部への経路および外部から撮像装置本体の内部への経路の両方が防滴シールされる様子を示す模式図である。
【図１２】図１２は、実施の形態１の変形例でのリブとの接触によるパッキンの変形を示す断面図である。
【図１３】図１３は、実施の形態１の変形例でのパッキンの取り付け構成を示す構成図である。
【発明を実施するための形態】
【０００９】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、出願人は、当業者が本開示を十分に理解するために添付図面および以下の説明を提供するのであって、これらによって特許請求の範囲に記載の主題を限定することを意図するものではない。
【００１１】
（実施の形態１）
以下、図１〜図１１を用いて、実施の形態１について説明する。
【００１２】
［１−１．カメラの構成］
図１は、実施の形態１にかかるデジタルカメラの閃光発光部が収納された状態でのカメラの外観斜視図である。図２は、実施の形態１にかかるデジタルカメラの閃光発光部が発光可能な位置に突出した状態でのカメラの外観斜視図である。以下、説明の便宜上、図１の紙面上方をデジタルカメラの上方、紙面下方をデジタルカメラの下方とする。また被写体側をデジタルカメラの前方とし、像面側をデジタルカメラの後方とする。
【００１３】
本実施の形態のデジタルカメラ１０は、閃光発光部１００とカメラ本体２００とを備えている。デジタルカメラは、少なくとも複数のレンズを含む光学系と、撮像素子と、メモリと、を含む。閃光発光部１００は、いわゆる内蔵フラッシュである。閃光発光部１００は、収納状態と突出状態の態様を有する。収納状態とは、閃光発光部１００がカメラ本体２００の内部に収納されている状態である。突出状態とは、閃光発光部１００が収納状態での位置よりもカメラ本体２００から突出する位置にある状態、すなわちポップアップした状態である。
【００１４】
図１では閃光発光部１００がカメラ本体２００に収納される収納状態を示し、図２では閃光発光部１００がカメラ本体２００から突出する突出状態を示している。
【００１５】
閃光発光部１００の構成の概要について、図５、図６及び図８を用いて説明する。閃光発光部１００は、図６に示すベース１１８と、係止レバー１１９と、図８に示すリンク１１４と、発光部ケースＡ１１０と、発光部ケースＢ１１１と、発光ユニット１０２と、フレネルレンズ１０３と、回路基板１０４と、パッキン１０１と、を備える。閃光発光部１００は、さらに図５に示すバネＡ１２１、バネＢ１２２、軸Ａ１１５、軸Ｂ１１６及び図８に示すビス１１２等の部品も含む。
【００１６】
ベース１１８は閃光発光部１００をカメラ本体２００と連結するための部品である。係止レバー１１９は、閃光発光部１００を収納状態と突出状態とに切り替えるための部品である。リンク１１４はベース１１８と発光部ケースＢ１１１との間を連結する部品である。発光部ケースＡ１１０と発光部ケースＢ１１１とは、発光ユニット１０２、フレネルレンズ１０３、回路基板１０４を収納する部品である。発光部ケースＡ１１０は、閃光発光部１００が収納状態のとき、デジタルカメラ１０の外表面を構成する部品である。
【００１７】
［１−２．閃光発光部のポップアップ動作および収納動作］
本実施の形態の内蔵フラッシュである閃光発光部１００は、閃光発光部１００の使用時にユーザが手動で閃光発光部１００をポップアップさせ、不使用時にはユーザが手動で収納するタイプである。ユーザが図１に示す操作つまみ１２４を前方向に手動でスライドさせると、閃光発光部１００が上方向に突出する。逆に、図２の突出した状態の閃光発光部１００をユーザが手動で下方向に押し下げると、閃光発光部１００は収納位置まで移動して収納状態となる。収納状態は、次に操作つまみ１２４がスライドされるまで保持される。
【００１８】
図３および図４は上記閃光発光部のポップアップ動作および収納動作の機構を説明する断面図である。図３は閃光発光部の突出状態、図４は収納状態を示す。
【００１９】
図５および図６は上記閃光発光部のポップアップ動作および収納動作の機構を説明する分解斜視図である。図５はポップアップ動作のためのリンクとその動力源であるバネを含む構造を示している。図６は閃光発光部の保持および係止解除を行う係止レバーの構造を示している。
【００２０】
図３および図４において、リンク１１４はベース１１８に対して軸Ｂ１１６により回転可能に軸支されている。バネＢ１２２はベース１１８とリンク１１４との間に架設され、ベース１１８に対してリンク１１４を反時計方向に回転させるトルクを与えている。発光部ケースＢ１１１はリンク１１４に対して軸Ａ１１５により回転可能に軸支されている。バネＡ１２１はリンク１１４と発光部ケースＢ１１１との間に架設され、リンク１１４に対して発光部ケースＢ１１１を時計方向に回転させるトルクを与えている。
【００２１】
図４において、発光部ケースＢ１１１は、固定爪１１３を有する。発光部ケースＢ１１１の固定爪１１３は、係止レバー１１９に設けられた後述の係止爪１１７と係合している。この係合が前述のバネＡ１２１およびバネＢ１２２による回転トルクに抗することにより、閃光発光部１００を収納状態に保持している。
【００２２】
閃光発光部１００のポップアップ動作について、以下に説明する。係止レバー１１９に設けられた後述の操作つまみ１２４の動作により、係止爪１１７がデジタルカメラ１０の前方向に移動すると、前述した固定爪１１３と係止爪１１７との係合が外れる。係合が外れると、リンク１１４がバネＢ１２２のトルクにより反時計方向に回転する。そしてリンク１１４の回転と同時に発光部ケースＢ１１１がバネＡ１２１のトルクにより時計方向に回転する。リンク１１４および発光部ケースＢ１１１はそれぞれストッパー部に当接するまで回転し、図３に示す位置で停止し、突出状態となる。以上の動作により、閃光発光部１００のポップアップ動作が行われる。
【００２３】
以下は操作つまみ１２４と係止爪１１７の動作の説明である。図６において、操作つまみ１２４は係止レバー１１９に係合固定されている。係止レバー１１９はベース１１８と係止レバープレート１２３との間で図６に示すレバー動作方向に直動可能に保持されている。係止レバーバネ１２０は圧縮コイルバネであり、係止レバー１１９とベース１１８との間に架設される。係止レバーバネ１２０は係止レバー１１９をデジタルカメラ１０の後ろ方向に付勢している。操作つまみ１２４に操作力が入力されると、係止レバー１１９は係止レバーバネ１２０の力に抗して前方向に移動する。その際、係止レバー１１９に一体的に設けられている係止爪１１７も前方向に移動し、その移動により係止爪１１７と図４に示す固定爪１１３との係合が外れ、前述のポップアップ動作が発生する。
【００２４】
［１−３．パッキンの取り付け構成］
図７は、閃光発光部の突出状態での閃光発光部とその周辺のカメラ本体の形状を示す。
【００２５】
図７に示されるように閃光発光部１００の後述する発光パネルの周囲には発光パネルを取り囲むようにパッキン１０１が取り付けられている。パッキン１０１は弾性変形部材の一例である。具体的には、パッキン１０１の材料はシリコーンラバーであり、パッキン１０１は比較的大きな弾性変形が可能である。パッキン１０１の形状は環状である。カメラ本体側の本体ケース２１０の上部にはデジタルカメラ１０の上方に向かって開口する凹部１０５が形成されている。凹部１０５には閃光発光部１００が収納される。本体ケース２１０には、その凹部１０５の開口部の周囲全周にわたりリブ２１１が形成されている。本実施の形態のリブ２１１は上方に突出する突起である。
【００２６】
次に図８を用いてパッキンの取り付け状態を説明する。図８は閃光発光部の分解斜視図である。発光パネルは、フレネルレンズ１０３、発光ユニット１０２、回路基板１０４、パッキン１０１、発光部ケースＡ１１０、ビス１１２、発光部ケースＢ１１１によって構成されている。
【００２７】
図８に示すように発光部ケースＢ１１１は、フレネルレンズ１０３、発光ユニット１０２、回路基板１０４、およびパッキン１０１を位置決めしながら保持している。発光部ケースＡ１１０は２本のビス１１２で発光部ケースＢ１１１と締結される。発光部ケースＡ１１０と発光部ケースＢ１１１とで囲われた空間にフレネルレンズ１０３、発光ユニット１０２及び回路基板１０４は収容される。またパッキン１０１は、発光部ケースＡ１１０と発光部ケースＢ１１１の間に挟み込まれ、固定されている。
【００２８】
ユーザがパッキン１０１を取り外す際は、２本のビス１１２を取り外すことで発光部ケースＡ１１０を取り外し、パッキン１０１を発光部ケースＢ１１１から取り外す。
【００２９】
図１０は、図９に示す１０−１０線で上下方向（図９の紙面に対して垂直な方向）に切断した時の断面位置での、リブとの接触によるパッキンの変形を示す断面図である。図１０の（Ａ）は、リブ２１１とパッキン１０１とが接触する前の状態を示す。図１０の（Ｂ）はリブ２１１とパッキン１０１とが接触している状態を示す。すなわち図１０の（Ｂ）は閃光発光部１００の収納状態を示す。
【００３０】
リブ２１１とパッキン１０１とが接触していていない非接触状態では、パッキン１０１の断面（デジタルカメラ１０の上下方向に平行な面での断面）の形状は、図１０の（Ａ）のように縦方向の辺と横方向の辺とで構成された略Ｌ型である。縦方向の辺の上端を、パッキン基部１０１Ａとする。横方向の辺は、縦方向の辺の下端から外方に向かって延びる辺である。パッキン１０１とリブ２１１とが接触している接触状態では、パッキン１０１の断面の形状は、図１０の（Ｂ）のように横方向の辺が跳ね上がるように変形した形状である。このように閃光発光部１００の収納状態においてパッキン１０１が閃光発光部１００とカメラ本体２００との間で加圧変形させられることでカメラ本体２００と閃光発光部１００との間が防滴シールされる。防滴シールとは、水の浸入を抑制するような密閉状態とすることである。この防滴シールにより、デジタルカメラ１０は防滴仕様となる。
【００３１】
つまりパッキン１０１の変形に応じたパッキン１０１の反発力によりパッキン１０１とリブ２１１とは全周にわたって密着し、デジタルカメラ１０の外部からカメラ本体２００の内部への水の浸入（図１１の経路Ａ）が阻止される。
【００３２】
また、パッキン基部１０１Ａは、全周にわたり発光部ケースＡ１１０と発光部ケースＢ１１１の両方に挟まれて、両者それぞれに接触している。このパッキン基部１０１Ａの発光部ケースＡ１１０及び発光部ケースＢ１１１との接触部が、デジタルカメラ１０の外部から閃光発光部１００の内部への水の浸入（図１１の経路Ｂ）を阻止する。
【００３３】
以上のように本実施の形態のデジタルカメラ１０は、デジタルカメラ１０の外部から閃光発光部１００の内部への経路Ｂおよびデジタルカメラ１０の外部からカメラ本体２００の内部への経路Ａの両方が防滴シールされ、防滴仕様となる。
【００３４】
（実施の形態１の変形例）
図１２は、実施の形態１の変形例を示す断面図である。図１２の断面位置は図９に示す１０−１０断面と同じ位置である。図１３はパッキンの取り付け構成を示す断面図である。
【００３５】
変形例では、上記実施の形態１で説明したようにパッキン１０１は閃光発光部１００に取り付けられているのではなく、図１２に示すようにカメラ本体２００側に取り付けられている。図１２に示すように、固定プレート２１２は閃光発光部１００をカメラ本体２００から分離分解することなく取り外し可能な取り付け部材である。固定プレート２１２の形状は、本体ケース２１０の凹部１０５の開口部の形状と同様の環状である。固定プレート２１２の、デジタルカメラ１０の上下方向に平行な面における断面の形状は、略Ｌ型である。図１２に示すように、固定プレート２１２の縦方向の辺は、凹部１０５の開口部近傍にける内側の側面と対向する。固定プレート２１２の横方向の辺は、凹部１０５の開口部の上方における外周に配置される。さらに図１３に示すように、固定プレート２１２の縦方向の辺は穴部２１４を有する。穴部２１４は、閃光発光部１００が突出状態のとき、露呈する位置に配置される。また凹部１０５の開口部近傍における内側の側面には、三角断面突起２１３が形成されている。三角断面突起２１３は、凹部１０５の内側に向かって突出する突起である。固定プレート２１２の穴部２１４に本体ケース２１０の三角断面突起２１３が係合することで、固定プレート２１２は本体ケース２１０に取り付けられている。パッキン１０１の形状は、環状である。パッキン１０１の一部であるパッキン基部１０１Ｂが固定プレート２１２と本体ケース２１０との間で挟みこまれることで、パッキン１０１は本体ケース２１０に固定されている。
【００３６】
発光部ケースＡ１１０とパッキン１０１とが接触していない非接触状態でのパッキン１０１の断面は、図１２の（Ａ）及び図１３の（Ａ）に示すように略Ｌ型である。パッキン１０１の横方向の辺は、図１３の（Ａ）に示すパッキン基部１０１Ｂを構成する。パッキン１０１の縦方向の辺は、パッキン基部１０１Ｂの外側の端部から上方に向かって折れ曲がった部分である。発光部ケースＡ１１０とパッキン１０１とが接触している接触状態、つまり収納状態において、パッキン１０１の縦方向の辺は発光部ケースＡ１１０の内面と接触する。パッキン１０１と発光部ケースＡ１１０の内面との接触により、図１２の（Ｂ）のようにパッキン１０１の縦方向の辺が内側へ折り曲がり、変形する。この変形によるパッキン１０１の反発力により、パッキン１０１と発光部ケースＡ１１０の内面は全周にわたって密着し、外部からの水の浸入を阻止する。ユーザがパッキン１０１を取り外す際は、固定プレート２１２の穴部２１４と本体ケース２１０の三角断面突起２１３との係合を外すことで、固定プレート２１２を取り外し、パッキン１０１を本体ケース２１０から取り外す。
【００３７】
［１−４．まとめ］
以上のように、本実施の形態１において、デジタルカメラ（撮像装置）１０は、カメラ本体（撮像装置本体）２００と、カメラ本体２００に収納される収納状態と撮像装置本体２００から突出する突出状態とを有する閃光発光部１００と、パッキン（弾性変形部材）１０１とを備える。デジタルカメラ（撮像装置）１０は、収納状態においてパッキン１０１が閃光発光部１００とカメラ本体２００との間で加圧変形させられることでカメラ本体２００と閃光発光部１００との間が防滴シールされる防滴仕様である。この構成により、デジタルカメラ（撮像装置）１０は、カメラ本体２００と閃光発光部１００との間を防滴シールするのに有効である。
【００３８】
また本実施の形態１において、パッキン１０１は閃光発光部１００内で２本のビス１１２で固定された発光部ケースＡ１１０と発光部ケースＢ１１１とで挟みこむように取り付けられている。
【００３９】
これにより、ユーザは、閃光発光部１００をカメラ本体２００から分解分離することなく、２本のビス１１２を取り外して発光部ケースＡ１１０を取り外すという簡単な作業のみでパッキン１０１を交換することができ、パッキン１０１の交換作業工数が大幅に削減される。なお、発光部ケースＡ１１０はデジタルカメラ１０の外表面を構成する部品である。したがって、交換作業工数がより削減される。
【００４０】
またパッキン１０１のパッキン基部１０１Ａは全周にわたり発光部ケースＡ１１０と発光部ケースＢ１１１の両方に挟まれる形で両者に接触している。これによりカメラ本体２００の外部から閃光発光部１００の内部への経路（図１１の経路Ｂ）がより的確に防滴シールされる。
【００４１】
またパッキン１０１は、収納状態において、全周にわたりリブ２１１と密着している。これによりカメラ本体２００の外部からカメラ本体２００の内部への経路（図１１の経路Ａ）がより的確に防滴シールされる。
【００４２】
また、実施の形態１の変形例において、パッキン１０１は、カメラ本体２００と、カメラ本体２００の本体ケース２１０に係合固定された固定プレート２１２との間に挟み込まれることによりカメラ本体２００側に取り付けられている。
【００４３】
これによりユーザは、閃光発光部１００をカメラ本体２００から分解分離することなく、固定プレート２１２の本体ケース２１０との係合を外すことで固定プレート２１２を取り外すという簡単な作業のみでパッキン１０１を交換することができ、パッキン１０１の交換作業工数が大幅に削減される。
【００４４】
また、実施の形態１の変形例において、閃光発光部１００が突出状態のとき、固定プレート２１２の少なくとも穴部２１４は露呈する。つまり突出状態のとき、ユーザは穴部２１４を視認し、工具等で触れることができる。これにより固定プレート２１２を取り外す作業が容易となる。
【００４５】
（他の実施の形態）
以上のように、本開示における実装の例示として、実施の形態１およびその変形例を説明した。しかしながら、本開示は、これに限定されず、適宜、変更、置き換え、付加、省略などを行った実施の形態にも適用可能である。
【００４６】
本実施の形態の内蔵フラッシュは、内蔵フラッシュを使用時に手動でポップアップさせ、不使用時には手動で収納するタイプであるが、撮影時に被写体の光量に応じて自動的にポップアップし、撮影終了時に自動的に収納状態になるタイプであってもよい。
【００４７】
また、パッキン１０１の材料をシリコーンラバーであると説明したが、他の材料であってもよく、例えば、熱可塑性エラストマーやスポンジやＰＥＴ（ポリエステルテレフタレート）などのシート材などの弾性変形をする材料であってもよい。
【００４８】
以上のように、添付図面および詳細な説明によって、出願人がベストモードと考える実施の形態と他の実施の形態とを提供した。これらは、特定の実施の形態を参照することにより、当業者に対して、特許請求の範囲に記載の主題を例証するために提供されるものである。したがって、添付図面および詳細な説明に記載された構成要素の中には、課題解決のために必須な構成要素だけでなく、それ以外の構成要素も含まれ得る。そのため、それらの必須ではない構成要素が添付図面や詳細な説明に記載されているからといって、直ちにそれらの必須ではない構成要素が必須であるとの認定を受けるべきではない。また、特許請求の範囲またはその均等の範囲において、上述の実施の形態に対して、種々の変更、置き換え、付加、省略などを行うことができる。
【産業上の利用可能性】
【００４９】
本開示は、閃光発光部を備える撮像装置に適用可能である。具体的には、デジタルスチルカメラ、ムービー、カメラ機能付き携帯電話機、スマートフォンなどに、本開示は適用可能である。
【符号の説明】
【００５０】
１０    デジタルカメラ（撮像装置）
１００    閃光発光部
１０１    パッキン（弾性変形部材）
１０１Ａ    パッキン基部
１０１Ｂ    パッキン基部
１０２    発光ユニット
１０３    フレネルレンズ
１０４    回路基板
１０５    凹部
１１０    発光部ケースＡ
１１１    発光部ケースＢ
１１２    ビス
１１３    固定爪
１１４    リンク
１１５    軸Ａ
１１６    軸Ｂ
１１７    係止爪
１１８    ベース
１１９    係止レバー
１２０    係止レバーバネ
１２１    バネＡ
１２２    バネＢ
１２３    係止レバープレート
１２４    操作つまみ
２００    カメラ本体（撮像装置本体）
２１０    本体ケース
２１１    リブ
２１２    固定プレート（取り付け部材）
２１３    三角断面突起
２１４    穴部
【図１】
2018045221.tif 000003
【図２】
2018045221.tif 000004
【図３】
2018045221.tif 000005
【図４】
2018045221.tif 000006
【図５】
2018045221.tif 000007
【図６】
2018045221.tif 000008
【図７】
2018045221.tif 000009
【図８】
2018045221.tif 000010
【図９】
2018045221.tif 000011
【図１０】
2018045221.tif 000012
【図１１】
2018045221.tif 000013
【図１２】
2018045221.tif 000014
【図１３】
2018045221.tif 000015